(57)【特許請求の範囲】
【請求項１】
便器本体の上面に汚物入れが懸架される受板を配置し、該受板は中央に汚物入れを懸架する開口部が設けられ、該開口部の周囲には吸引口が設けられ、該受板の下側には該受板の開口部に対応した開口部が中央に設けられている下板が重ねられ、該下板の開口部の周囲には該受板の吸引口に連通しかつ両側を壁部で画定されるとともに上下を該受板と該下板とで画定された臭気吸引ダクトが形成され、該臭気吸引ダクトには臭気吸引ファンと脱臭装置とが連絡していることを特徴とする脱臭構造。
【請求項２】
便器本体の上面に受板を配置し、該受板の上側には上板が重ねられ、該上板中央には汚物入れが懸架される開口部が設けられており、該受板は中央に開口部が設けられ、該開口部の周囲には臭気吸引ファンと脱臭装置とが連絡しかつ両側を壁部で画定されるとともに上下を該受板と該上板とで画定された臭気吸引ダクトが設けられており、該開口部の周囲には該受板の臭気吸引ダクトに連通する吸引口が設けられていることを特徴とする脱臭構造。
【請求項３】
該受板は便器本体上面に載置される請求項１または請求項２に記載の脱臭構造。
【請求項４】
該受板は便器本体上面に便器本体と一体的に形成される請求項１または請求項２に記載の脱臭構造。
【発明の詳細な説明】
【０００１】
【発明の属する技術分野】
本発明は携帯用便器の脱臭構造に関するものである。
【０００２】
【従来の技術】
従来、図９に示すように、便器の便座(30)の開口部(31)内周に略全周にわたって吸引口(32)が設けられ、該吸引口(32)は臭気吸引ファン(33)および脱臭装置(34)に連絡している脱臭構造が提供されている（実開平２−４７９９８号）。
この場合、臭気吸引ファン(33)を作動させて、臭気を該便座(30)の吸引口(32)から吸引し、脱臭装置(34)によって脱臭して外部へ排出する。
また、図１０に示すように、携帯用便器本体(35)の上面開口部(36)に脱臭用バケツ(37)が懸架され、該脱臭用バケツ(37)内に汚物バケツ(38)が懸架されて二重バケツ構造とされ、該脱臭用バケツ(37)と該汚物バケツ(38)との間に形成される空気通路(39)の上端に吸引口(40)が設けられ、該脱臭用バケツ(37)の底部に臭気吸引ファン(41)および脱臭装置(42)が設けられている脱臭構造が提供されている（特開２０００−２８７８７８）。
この場合、脱臭用バケツ(37)底部の臭気吸引ファン(41)を作動させて、臭気を吸引口(40)から吸引して、脱臭装置(42)によって脱臭して外部へ排出する。
【０００３】
【発明が解決しようとする課題】
しかしながら、図９に示した従来の脱臭構造では、便座(30)の開口部(31)内周に吸引口(32)を設けているので、男子小便用として使用するために便座(30)を起立させる場合や、汚物バケツ内の汚物を廃棄するときに汚物バケツに蓋をするために便座(30)を起立させる場合に、起立した便座(30)の吸引口(32)から臭気を吸引することが困難であるという問題点があった。
また、図１０に示した従来の脱臭構造では、該脱臭用バケツ(37)の底部に臭気吸引ファン(41)および脱臭装置(42)が設けられているので、誤って汚物バケツ(38)から小水などがこぼれた場合に、その小水などが臭気吸引ファン(41)のモーターや回路などにかかって、臭気吸引ファン(41)や脱臭装置(42)を故障させる恐れがあるという問題があった。また、誤って汚物バケツ(38)を設置し忘れて排便した場合、汚物が付着して臭気吸引ファン(41)や脱臭装置(42)が故障するという問題があった。更に、温水洗浄装置を使用すると、洗浄水が脱臭バケツ内へ飛散して臭気吸引ファン(41)や脱臭装置(42)を濡らし、臭気吸引ファン(41)や脱臭装置(42)が故障する恐れがあるので、温水洗浄装置の使用が困難であるという問題点もあった。
【０００４】
【課題を解決するための手段】
本発明は上記従来の課題を解決するための手段として、便器本体(2) の上面に汚物入れ(4) が懸架される受板(3) を配置し、該受板(3) は中央に汚物入れ(4) を懸架する開口部(5) が設けられ、該開口部(5) の周囲には吸引口(7) が設けられ、該受板(3) の下側には該受板(3) の開口部(5) に対応した開口部(12)が中央に設けられている下板(11)が重ねられ、該下板(11)の開口部(12)の周囲には該受板(3) の吸引口(7) に連通しかつ両側を壁部で画定されるとともに上下を該受板(3) と該下板(11)とで画定された臭気吸引ダクト(13)が形成され、該臭気吸引ダクト(13)には臭気吸引ファン(15)と脱臭装置(16)とが連絡している脱臭構造を提供するものである。
または、便器本体(2) の上面に受板(20)を配置し、該受板(20)の上側には上板(25)が重ねられ、該上板(25)中央には汚物入れ(4) が懸架される開口部(26)が設けられており、該受板(20)は中央に開口部(21)が設けられ、該開口部(21)の周囲には臭気吸引ファン(15)と脱臭装置(16)とが連絡しかつ両側を壁部で画定されるとともに上下を該受板(20)と該上板(25)とで画定された臭気吸引ダクト(23)が設けられており、該開口部(26)の周囲には該受板(20)の臭気吸引ダクト(23)に連通する吸引口(28)が設けられている脱臭構造であることが望ましい。
該受板(3,20)は便器本体(2) 上面に載置されることが望ましく、または、該受板(3,20)は便器本体(2) 上面に便器本体(2) と一体的に形成されることが望ましい。
【０００５】
【作用】
本発明の脱臭構造では、便器本体(2) に配置される受板(3) に吸引口(7) を設け、該受板(3) に重ねられる下板(11)の開口部(12)の周囲には両側を壁部で画定されるとともに上下を該受板(3) と該下板(11)とで画定された臭気吸気ダクト(13)を設けているので、便座(8) を起立させた場合でも、受板(3) の吸引口(7) から常時効率よく臭気を吸引することが出来る。
または、便器本体(2) に配置される受板(20)の開口部(21)の周囲には両側を壁部で画定されるとともに上下を該受板(20)と該上板(25)とで画定された臭気吸気ダクト(23)を設け、該上板(25)に吸引口(28)を設けているので、便座(8) を起立させた場合でも、上板(25)の吸引口(28)から常時効率よく臭気を吸引することが出来る。
【０００６】
【発明の実施の形態】
〔実施例１〕
本発明を図１〜図６に示す一実施例によって説明する。本実施例では、携帯用便器本体(2) の上面に受板(3) を載置する携帯用便器(1) の場合を例示する。
図１および図２に示すように、該受板(3) の中央には汚物入れとしての汚物バケツ(4) を懸架する開口部(5) が設けられており、該開口部(5) の周囲には該汚物バケツ(4) を係止するためのバケツ係止段部(6) が設けられており、該バケツ係止段部(6) の周壁の所定位置には臭気を吸引するための吸引口(7) が複数個設けられており、更に、該受板(3) の上面の後部には便座(8) を跳ね上げ可能に取付けるための便座取付部(9) が設けられており、該受板(3) のバケツ係止段部(6) の後部には温水洗浄装置（図示せず）を取付けるための洗浄装置取付部(10)が設けられている。
【０００７】
図２に示すように、該受板(3) の下側には左右一対の下板(11)が重ねられて取付けられており、該下板(11)の中央には該受板(3) の開口部(5) に対応した開口部(12)が設けられており、該下板(11)の開口部(12)の周囲には該受板(3) の吸引口(7) に連通しかつ両側を壁部で画定されるとともに上下を該受板(3) と該下板(11)とで画定された臭気吸引ダクト(13)が形成されている。該下板(11)の臭気吸引ダクト(13)の後部下面には連通口(14)が設けられており、左右の下板(11)の臭気吸引ダクト(13)は該連通口(14)を介してそれぞれ連絡しており、更に、該臭気吸引ダクト(13)の後端には臭気吸引ファン(15)と脱臭装置(16)とが連絡している（図３および図６参照）。
【０００８】
図３および図４に示すように、携帯用便器本体(2) の上面中央には汚物バケツ(4) を収納するためのバケツ収納凹部(17)が凹設されており、該バケツ収納凹部(17)の周囲には受板(3) を載置するための受板係止段部(18)と下板(11)を載置するための下板係止段部(19)とが設けられている。
【０００９】
図５および図６に示すように、汚物バケツ(4) 内の臭気を脱臭する場合には、臭気吸引ファン(15)を作動させて、汚物バケツ(4) 内の臭気を汚物バケツ(4) の全周から受板(3) の吸引口(7) を介して臭気吸引ダクト(13)へ吸引し、臭気吸引ダクト(13)から脱臭装置(16)へ送られた臭気を脱臭装置(16)によって脱臭して外部へ排出する。
【００１０】
本実施例では、携帯用便器本体(2) に載置される受板(3) に吸引口(7) を設け、該受板(3) に取付けられる下板(11)に臭気吸気ダクト(13)を設けているので、便座(8) を起立させた場合でも、受板(3) の吸引口(7) から常時効率よく臭気を吸引することが出来る。
また、脱臭装置(16)が臭気吸気ダクト(13)の後端に設けられているので、洗浄装置の温水や小水が脱臭装置(16)にかかって脱臭装置(16)が故障することがなく、温水洗浄装置の使用が可能である。
【００１１】
〔実施例２〕
図７および図８には他の実施例が示される。図１〜図６に示した実施例１に対して、本実施例では、携帯用便器本体(2) の上面に載置される受板(20)の中央には開口部(21)が設けられ、該開口部(21)の周囲には上板係止段部(22)が設けられ、該受板(20)の上板係止段部(22)には上板(25)が重ねられて取付けられており、該上板(25)の中央には汚物バケツ(4) が懸架される開口部(26)が設けられており、該開口部(26)の周囲には該汚物バケツ(4) を係止するためのバケツ係止段部(27)が設けられており、該上板係止段部(22)の上面には両側を壁部で画定されるとともに上下を該受板(20)と該上板(25)とで画定された左右一対の臭気吸引ダクト(23)が設けられている。該臭気吸引ダクト(23)の後部下面には連通口(24)が設けられており、該左右の臭気吸引ダクト(23)は該連通口(24)を介してそれぞれ連絡しており、更に、該臭気吸引ダクト(23)の後端には臭気吸引ファン(15)と脱臭装置(16)とが連絡している。
【００１２】
上記上板(25)のバケツ係止段部(27)の周壁の所定位置には該受板(20)の吸引ダクト(23)に連通する吸引口(28)が複数個設けられており、更に、該上板(25)の上面の後部には温水洗浄装置を取付けるための洗浄装置取付部(29)が設けられている。
【００１３】
本実施例では、携帯用便器本体(2) に載置される受板(20)に臭気吸気ダクト(23)を設け、該受板(20)に取付けられる上板(25)に吸引口(28)を設けているので、便座(8) を起立させた場合でも、上板(25)の吸引口(28)から常時効率よく臭気を吸引することが出来る。
【００１４】
上記実施例以外、汚物入れ(4) としては使い捨ての汚物袋を使用してもよく、また、臭気吸引ファン(15)および脱臭装置(16)は臭気吸引ダクト(13,23) の側端に設けられていてもよい。
更に、携帯用便器本体(2) の上面において便器本体(2) と受板(3,20)とを一体的に成形してもよく、また、受板(3) と下板(11)とを（または受板(20)と上板(25)とを）一体的に成形してもよい。
【００１５】
【発明の効果】
本発明では、便座を起立させた場合でも、常時効率よく臭気を吸引することが出来、また、洗浄装置の温水や小水が脱臭装置にかかって脱臭装置が故障することがなく、温水洗浄装置の使用が可能である。
【図面の簡単な説明】
図１〜図６は本発明の一実施例を示すものである。
【図１】受板の斜視図である。
【図２】受板の分解斜視図である。
【図３】説明側断面図である。
【図４】説明正断面図である。
【図５】部分拡大説明断面図である。
【図６】説明平面図である。
【図７】他の実施例の受板の斜視図である。
【図８】他の実施例の受板の分解斜視図である。
【図９】従来例の説明斜視図である。
【図１０】他の従来例の説明側断面図である。
【符号の説明】
1           携帯用便器
2           便器本体
3           受板
4           汚物バケツ
5           開口部
7           吸引口
11          下板
12          開口部
13          臭気吸引ダクト
15          臭気吸引ファン
16          脱臭装置
20          受板
21          開口部
23          臭気吸引ダクト
25          上板
26          開口部
28          吸引口
【図１】
0003826020.tif 000002
【図２】
0003826020.tif 000003
【図３】
0003826020.tif 000004
【図４】
0003826020.tif 000005
【図５】
0003826020.tif 000006
【図６】
0003826020.tif 000007
【図７】
0003826020.tif 000008
【図８】
0003826020.tif 000009
【図９】
0003826020.tif 000010
【図１０】
0003826020.tif 000011